(57)【要約】【課題】従来、交通事故の目撃者を特定する事は、困難であった。  【解決手段】  本発明の車両検出装置は、事故発生時点での現場の近傍に位置する車両を検出する車両検出装置であって、車両識別子を記憶する車両情報記憶部と、目撃車両に関する情報を記憶する自車両衝撃検出記憶部と、他の前記車両検出装置の備える前記車両情報記憶部から車両識別子を取得する車両情報リーダ部と、衝撃を検出し、該衝撃を検出した事を契機として、前記車両情報リーダ部から車両識別子を取得し、該車両識別子を目撃車両に関する情報として前記自車両衝撃検出記憶部に格納する衝撃検出部と、を備えた事で、車両で衝撃を検出した際、周囲の車両の識別番号を取得し、交通事故の目撃者となり得る人物の乗車する車両を特定する事が出来る。【選択図】      図１
2006053676.tif 000002
【特許請求の範囲】
【請求項１】
事故発生時点での現場の近傍に位置する車両を検出する車両検出装置であって、
車両識別子を記憶する車両情報記憶部と、
目撃車両に関する情報を記憶する自車両衝撃検出記憶部と、
他の前記車両検出装置の備える前記車両情報記憶部から車両識別子を取得する車両情報リーダ部と、
衝撃を検出し、該衝撃を検出した事を契機として、前記車両情報リーダ部から車両識別子を取得し、該車両識別子を目撃車両に関する情報として前記自車両衝撃検出記憶部に格納する衝撃検出部と、
を備えた事を特徴とする車両検出装置。
【請求項２】
前記車両検出装置は、更に、
衝撃を検出した車両に係る情報を記憶する他車両衝撃検出記憶部を備え、
前記衝撃検出部は、
前記車両情報記憶部から車両識別子を取得し、該車両識別子を衝撃を検出した車両に係る情報として他の前記車両検出装置の備える前記他車両衝撃検出記憶部に格納する事を特徴とする請求項１記載の車両検出装置。
【請求項３】
前記車両検出装置は、更に、
前記自車両衝撃検出記憶部から目撃車両に関する情報を取得し、該情報を目撃車両として表示し、前記他車両衝撃検出記憶部に記憶された衝撃を検出した車両に係る情報と前記自車両衝撃検出記憶部に記憶された目撃車両に関する情報とが一致するものを当事者として表示する表示部を備える事を特徴とする請求項２記載の車両検出装置。
【請求項４】
事故発生時点での現場の近傍に位置する車両を検出する車両検出装置とネットワークを介して接続された管理サーバとからなる車両検出システムであって、
前記車両検出装置は、
車両識別子を記憶する車両情報記憶部と、
目撃車両に関する情報を記憶する自車両衝撃検出記憶部と、
他の前記車両検出装置の備える前記車両情報記憶部から車両識別子を取得する車両情報リーダ部と、
衝撃を検出し、該衝撃を検出した事を契機として、前記車両情報リーダ部から車両識別子を取得し、該車両識別子を目撃車両に関する情報として前記自車両衝撃検出記憶部に格納し、前記車両情報記憶部から車両識別子を取得し、該車両識別子と該目撃車両に関する情報とを前記管理サーバに送信する衝撃検出部とを備え、
前記管理サーバは、
車両識別子と目撃車両に関する情報とを記憶する事故車両記憶部と、
前記車両検出装置から車両識別子と目撃車両に関する情報とを受信し、前記事故車両記憶部に格納する事故車両情報格納部と、
前記事故車両記憶部から車両識別子に対応する目撃車両に関する情報を取得し、該情報を表示する事故情報表示部とを備えた事を特徴とする車両検出システム。
【請求項５】
前記車両検出装置は、更に、
衝撃を検出した車両に係る情報を記憶する他車両衝撃検出記憶部を備え、
前記衝撃検出部は、前記車両情報記憶部から車両識別子を取得し、該車両識別子を衝撃を検出した車両に係る情報として他の前記車両検出装置の備える前記他車両衝撃検出記憶部に格納し、
前記事故情報表示部は、前記事故車両記憶部を参照して、衝撃を検出した車両の車両識別子に対応する目撃者に関する情報と一致する車両識別子を取得し、該車両識別子に対応する目撃者に関する情報と該衝撃を検出した車両の車両識別子とが一致する場合、当事者として表示する事を特徴とする請求項４記載の車両検出システム。
【発明の詳細な説明】
【技術分野】
【０００１】
本発明は、交通事故発生時の状況を把握する装置に関し、特に、交通事故の目撃者の乗車する車両を特定する装置に関する。
【背景技術】
【０００２】
交通事故が発生した場合、事故の状況を正確に把握する事は、警察や保険業者にとって重要な事である。
【０００３】
特許文献１には、車両で衝撃を検出した際、事故の状況を把握するため、所定時間映像を撮影するカメラシステムについて開示されている。
【特許文献１】特開２００３−２３００９９号公報
【発明の開示】
【発明が解決しようとする課題】
【０００４】
ところで、交通事故の状況を正確に把握する上で、目撃者の証言は重要である。しかしながら、目撃者が名乗り出ない場合もあり、交通事故の目撃者を見つける事は困難であった。例えば、目撃者の有無が不明である交通事故の場合、交通事故の発生地点で、目撃者の有無を問う看板等が警察によって立てられている。
【０００５】
また、特許文献１に開示されているように、衝撃検出時の映像を取得したとしても、当該映像に目撃者を特定出来るものが映されていない場合には、目撃者を特定することは困難である。
【０００６】
本発明は、このような課題に鑑みなされたものであり、交通事故の発生時に目撃者となりうる可能性のある人物の乗車する車両を確実に特定する事を目的とする。
【０００７】
また、交通事故においては、目撃者だけでなく、交通事故の当事者も特定しておく必要がある。例えば、あて逃げされ、当事者の一方の特定が出来ない場合がある。
【０００８】
本発明は、あて逃げをされた、又は、した場合においても、あて逃げした車両を確実に特定する事を目的とする。
【課題を解決するための手段】
【０００９】
上記課題を解決する為に、交通事故の目撃者は、交通事故発生現場に必ずいる事に着目した。
【００１０】
即ち、本発明の車両検出装置は、事故発生時点での現場の近傍に位置する車両を検出する車両検出装置であって、車両識別子を記憶する車両情報記憶部と、目撃車両に関する情報を記憶する自車両衝撃検出記憶部と、他の前記車両検出装置の備える前記車両情報記憶部から車両識別子を取得する車両情報リーダ部と、衝撃を検出し、該衝撃を検出した事を契機として、前記車両情報リーダ部から車両識別子を取得し、該車両識別子を目撃車両に関する情報として前記自車両衝撃検出記憶部に格納する衝撃検出部と、を備えた事を特徴とする。
【００１１】
本発明は、上記のように、車両で衝撃を検出した際、該車両の周囲に存在する他の車両の識別番号を取得する事で、交通事故の目撃車両を特定する事が出来る。
【００１２】
また、交通事故の当事者は、双方の車両で衝撃を検出する点に着目した。
【００１３】
即ち、本発明の車両検出装置は、更に、衝撃を検出した車両に係る情報を記憶する他車両衝撃検出記憶部を備え、前記衝撃検出部は、前記車両情報記憶部から車両識別子を取得し、該車両識別子を衝撃を検出した車両に係る情報として他の前記車両検出装置の備える前記他車両衝撃検出記憶部に格納する事を特徴とする。
【００１４】
本発明は、上記のように、あて逃げした車両を特定する事が出来る。
【発明の効果】
【００１５】
本発明の車両検出装置によれば、交通事故発生時点における衝撃を検出した車両の周囲に存在する他の車両の車両情報を取得出来る。従って、交通事故の目撃者の乗車する車両を特定する事が出来る。
【００１６】
また、衝撃を検出した車両同士を特定出来る。従って、あて逃げ犯を特定する事が出来る。
【発明を実施するための最良の形態】
【００１７】
以下、本発明の実施例を図面に基づいて説明する。
【実施例１】
【００１８】
本発明の実施例に係る車両検出装置の処理態様を、図１乃至図６を用いて説明する。
【００１９】
図１は、本実施例に係る車両検出装置１の概要を示す構成図である。
【００２０】
図１に示す、本実施例に係る車両検出装置１は、自動車、バス、バイク、電車、等、様々な車両夫々に備えられている。
【００２１】
図１に示すように、本実施例に係る車両検出装置１は、ＩＣタグ部２、ＩＣタグリーダライタ部３、及び、制御部４で構成されている。
【００２２】
ＩＣタグ部２は、公知のＩＣタグの事であり、車両情報データベース２１、他車両衝撃検出データベース２２、及び、自車両衝撃検出データベース２３で構成されている。
【００２３】
ここで、ＩＣタグ部２は、自動二輪車や自動四輪車を製造する製造メーカ又は該車両を利用者に販売する業者により設置され、外部から視認する事を不能とするように車両に埋設した状態となっている。例えば、車両のナンバープレート設置箇所周辺に埋設している。
【００２４】
車両情報データベース２１は、車両識別子に対応付けて車両に係る情報を記憶している。車両識別子は、例えば、製造メーカの製造番号、車両番号、ナンバープレート番号等、車両を一意に識別出来るであり、該車両識別子に対応付けて、所有者名、車検情報等、車両に係る情報を記録するものである。
【００２５】
他車両衝撃検出データベース２２は、他車両の備える後述するＩＣタグリーダライタ部３の指示により、日付、時刻、衝撃度、他車両の車両識別子、及び、他車両の所有者名を記録するものである。
【００２６】
自車両衝撃検出格納データベース２３は、後述するＩＣタグリーダライタ部３の指示により、日付、時刻、衝撃度、他の車両の車両識別子、及び、他車両の所有者名を記録するものである。
【００２７】
ＩＣタグリーダライタ部３は、公知のＩＣタグリーダライタの事であり、自車両、他車両を問わず、電波の届く範囲又は所定範囲内に存在するＩＣタグ部２の情報を読み取ったり、ＩＣタグ部２に情報を書き込んだりするものである。
【００２８】
制御部４は、衝撃検出部４１、周囲状況取得部４２、及び、周囲状況発信部４３で構成されている。
【００２９】
衝撃検出部４１は、車両等の設置対象物に対する衝撃を検出するものであり、衝撃を検出すると衝撃信号を生成し、後述する周囲状況取得部４２に、自車両の周囲に存在する他車両を検出するよう指示をする。また、周囲状況取得部４２から他車両の検出結果を受け取ると、ＩＣタグリーダライタ部３に自車両のＩＣタグ部２に情報を書き込むよう指示をし、後述する周囲状況発信部４３に対して、他車両のＩＣタグ部２に情報を書き込むよう指示をするものである。ここで、衝撃検出部４１は、例えば車両同士や自転車や人との接触事故、建築物等への追突事故等による衝撃を検出出来るものであり、本実施例における衝撃検出部４１は、車両に設けられているエアバッグ装置に用いられる衝撃センサを利用する事も出来る。
【００３０】
周囲状況取得部４２は、衝撃検出部４１からの指示に基づき、ＩＣタグリーダライタ３に電波の届く範囲又は所定範囲内に存在する他車両のＩＣタグ部２の情報を読み取るように指示をする。そして、他車両のＩＣタグリーダライタ３から情報を得ると、衝撃検出部４１に通知をするものである。ここで、ＩＣタグリーダライタ３は、自車両の車両識別子を予め記憶しており、電波の届く範囲又は所定範囲内に存在する自車両のＩＣタグ部２、他車両のＩＣタグ部２の両方を検出した場合、双方のＩＣタグ部２の車両情報データベース２１に記憶した車両識別子を読み込み、予め記憶した車両識別子と異なるものを、他車両とし、同一のものを自車両としている。
【００３１】
周囲状況発信部４３は、衝撃検出部４１からの指示に基づき、ＩＣタグリーダライタ３に電波の届く範囲又は所定範囲内に存在する他車両のＩＣタグ部２に情報を書き込むように指示をするものである。ここで、他車両、自車両の判定は、上記同様の処理をしている。
【００３２】
次に、本実施例における車両検出装置１の処理について、フローチャートに基づき、説明をする。
【００３３】
本実施例では、図１に示す車両Ａと車両Ｂとが衝突事故を起こし、たまたま周囲に車両Ｃ及び車両Ｄが存在した例を用いて説明をする。尚、車両Ｃ及び車両Ｄも図示はしていないが、車両Ａ及び車両Ｂと同様に車両検出装置１を備えているものとする。
【００３４】
図２は、本実施例における車両検出装置１の処理をフローチャートで示したものである。
【００３５】
本実施例における車両検出装置１を備えた車両のエンジンが起動された事を契機として、車両検出装置１の処理が開始される。尚、本実施例では、エンジン起動を契機として説明しているが、これに限定されるものではなく、車両検出装置１単独で起動するようにしても良い。尚、エンジンが起動されていなくても、追突事故、等される可能性がある。そこで、エンジン起動に連携するのでなく、車両のバッテリを利用して、処理をし続けるようにしても良い。
【００３６】
車両検出装置１は、起動されると、衝撃検出部４１で衝撃を検出するまで待機する（Ｓ２−１  ＮＯ）。
【００３７】
衝撃検出部４１で衝撃を検出すると（Ｓ２−１  ＹＥＳ）、日付、時刻、及び衝撃の大きさを取得し、周囲状況取得部４２を起動する（Ｓ２−２）。ここで、衝撃検出部４１は、衝撃の大きさを計測するだけでなく、計時機能も有している。
【００３８】
周囲状況取得部４２は、起動されると、ＩＣタグリーダライタ部３に対して、電波の届く範囲に存在する他車両の備えるＩＣタグ部２を検出するよう指示をする。ここで、本実施例においては、電波の届く範囲のＩＣタグを検出するように説明をするが、これに限るものではなく、例えば、周囲５m以内に存在するＩＣタグのみ検出するようにしても良い。また、周囲状況取得部４２は、起動されると、ＩＣタグリーダライタ部３に対して、一定期間電波を送信する事で、電波の届く範囲に存在する他車両の備えるＩＣタグ部２を検出するよう指示をするようにしても良い。一定期間ＩＣタグリーダライタ部３は、他車両の備えるＩＣタグ部２を検出するように電波を送信し続ける事になる。このようにすると、衝撃を検出した瞬間だけでなく、衝撃を検出して一定期間内に、自車両の周囲に存在した他車両全てを特定する事が出来る為、より多くの目撃車両に関する情報を得る事が出来るようになる。
【００３９】
周囲状況取得部４２から指示されたＩＣタグリーダライタ部３は、電波の届く範囲に存在する他車両の備えるＩＣタグ部２を検出する。本実施例では、車両Ｂ、車両Ｃ、及び、車両Ｄが電波の届く範囲に存在するものとして以下説明をする。
【００４０】
ＩＣタグリーダライタ部３は、他車両のＩＣタグ部２を検出すると、他車両のＩＣタグ部２を構成する車両情報データベース２１の情報を読み取る。
【００４１】
ここで、図３に車両情報データベース２１の構成例を示す。
【００４２】
図３（Ａ）乃至（Ｄ）に例示する車両情報データベース２１は、夫々、車両Ａ乃至車両Ｄの備える車両情報データベース２１を示している。
【００４３】
車両情報データベース２１は、車両番号フィールド、所有者名フィールド、及び、車検情報フィールドで構成されている。
【００４４】
車両番号フィールドは、車両識別子が記憶されるフィールドである。本実施例では、車両番号で説明しているが、製造番号やナンバープレート番号等、車両を一意に識別出来るものであれば何を用いても構わない。
【００４５】
所有者名フィールドは、該車両の所有者名が記憶されるフィールドである。尚、所有者名に限らず、所有者識別子等、該車両の所有者を一意に識別出来るものであれば何を用いても構わない。
【００４６】
車検情報フィールドは、該車両の車検に係る情報が記憶されるフィールドである。本実施例では、車検情報として、次回車検月、車種を記憶した例を説明しているが、これに限るものではない。
【００４７】
本実施例では、車両ＡのＩＣタグリーダライタ部３は、車両Ｂ、車両Ｃ、及び、車両Ｄの車両情報データベース２１を読み取る事になる。
【００４８】
ＩＣタグリーダライタ部３は、車両Ｂ、車両Ｃ、及び、車両Ｄの車両情報データベース２１の車両番号フィールドから夫々「Ｂ」、「Ｃ」、及び「Ｄ」という車両番号、及び所有者名フィールドから夫々「ＢＢＢＢ」、「ＣＣＣＣ」、及び「ＤＤＤＤ」という所有者名を取得する。
【００４９】
ＩＣタグリーダライタ部３で電波の届く範囲に存在する車両の車両番号、及び所有者名を夫々取得すると、周囲状況取得部４２は、ＩＣタグリーダライタ部３から該車両番号、及び所有者名を受け取り、衝撃検出部４１に該車両番号、及び所有者名を受け渡す。
【００５０】
衝撃検出部４１は、周囲状況取得部４２から車両番号、及び所有者名を受け取ると、ＩＣタグリーダライタ部３に対して、衝撃を検出した時に取得した日付、時刻、及び衝撃の大きさ、周囲状況取得部４２から受け取った車両番号、及び所有者名を自車両衝撃検出データベース２３に格納するよう指示をする。
【００５１】
ＩＣタグリーダライタ部３は、衝撃検出部４１から上記指示を受けると、自車両の備えるＩＣタグ部２とデータの送受信をし、自車両衝撃検出データベース２３に日付、時刻、衝撃の大きさ、車両番号、及び所有者名を格納する（Ｓ２−３）。
【００５２】
ここで、図４に自車両衝撃検出データベース２３の構成例を示す。
【００５３】
図４（Ａ）及び（Ｂ）に例示する自車両衝撃検出データベース２３は、夫々、車両Ａ及び車両Ｂの備える自車両衝撃検出データベース２３を示している。
【００５４】
自車両衝撃検出データベース２３は、日付フィールド、時刻フィールド、衝撃度フィールド、及び、目撃車両／所有者名フィールドで構成されている。
【００５５】
日付フィールドは、自車両が衝撃を検出した日付が格納されるフィールドである。
【００５６】
時刻フィールドは、自車両が衝撃を検出した時刻が格納されるフィールドである。
【００５７】
衝撃度フィールドは、自車両の検出した衝撃の大きさが格納されるフィールドである。
【００５８】
目撃車両／所有者名フィールドは、自車両が衝撃を検出した際、周囲に存在した他車両の車両番号及び該他車両の所有者名が格納されるフィールドである。本実施例では、他車両の車両番号に括弧付けで所有者名を格納しているが、これに限るものでなく、他車両と所有者名が判別できるものであればどのようなレコード構成でも構わない。
【００５９】
また、図４では、車両Ａ、及び車両Ｂのみを例示している。これは、車両Ｃ及び車両Ｄの衝撃検出部４１は、自ら衝撃を検出しておらず、自車両衝撃検出データベース２３にレコードが格納されていないためである。即ち、自車両の衝撃検出部４１で衝撃を検出した場合にのみ、自車両衝撃検出データベース２３にレコードが格納される事になる。
【００６０】
本実施例では、車両Ａと車両Ｂとが衝突した例で説明しており、車両Ｂの備える車両検出装置１も衝撃を検出している。従って、図４（Ｂ）に例示するようにレコードが格納される事になる。
【００６１】
図４（Ａ）を参照すると、車両Ａでは、「７月１日」の「２１：００」に衝撃度「大」の衝撃を検出した事が明らかとなる。また、その衝撃検出時、車両Ａの周囲には、「Ｂ」、「Ｃ」、及び「Ｄ」の車両番号の車両が存在し、該車両番号の車両の所有者は、夫々「ＢＢＢＢ」、「ＣＣＣＣ」、及び「ＤＤＤＤ」である事が分かる。
【００６２】
自車両衝撃検出データベース２３に日付、時刻、衝撃度、目撃車両及び所有者名が格納されると、衝撃検出部４１は、ＩＣタグリーダライタ部３に対して、自車両の備えるＩＣタグ部２の車両情報データベース２１から車両番号及び所有者名を取得するように指示をする。そして、ＩＣタグリーダライタ部３から自車両の車両番号、及び所有者名を取得すると、衝撃検出部４１は、周囲状況発信部４３に日付、時刻、衝撃の大きさ、自車両の車両番号、及び自車両の所有者名を通知する。
【００６３】
周囲状況発信部４３は、衝撃検出部４１から通知を受け取ると、ＩＣタグリーダライタ部３に対して、周囲に存在すると検出された他車両の備えるＩＣタグ部２の他車両衝撃検出データベース２２に日付、時刻、衝撃の大きさ、自車両の車両番号、及び所有者名を格納するよう指示をする。
【００６４】
ＩＣタグリーダライタ部３では、周囲状況発信部４３から指示を受けると、周囲状況取得部４２の指示で検出した他車両のＩＣタグ部２の他車両衝撃検出データベース２２に日付、時刻、衝撃の大きさ、自車両の車両番号、及び所有者名を格納する（Ｓ２−４）。
【００６５】
ここで、図５に他車両衝撃検出データベース２２の構成例を示す。
【００６６】
図５（Ａ）乃至（Ｄ）に例示する他車両衝撃検出データベース２２は、夫々、車両Ａ乃至車両Ｄの備える他車両衝撃検出データベース２２を示している。
【００６７】
他車両衝撃検出データベース２２は、日付フィールド、時刻フィールド、衝撃度フィールド、衝撃検出車両／所有者名フィールドで構成されている。
【００６８】
日付フィールドは、衝撃を検出した日付が格納されるフィールドである。
【００６９】
時刻フィールドは、衝撃を検出した時刻が格納されるフィールドである。
【００７０】
衝撃度フィールドは、検出した衝撃の大きさが格納されるフィールドである。
【００７１】
衝撃検出車両／所有者名フィールドは、衝撃を検出した車両の車両番号、及び該車両の所有者名が格納されるフィールドである。尚、本実施例では、車両番号に括弧付けで所有者名を格納しているが、これに限るものでなく、車両と所有者名が判別できるものであればどのようなレコード構成でも構わない。
【００７２】
ここでは、図５（Ｂ）乃至図５（Ｄ）の衝撃検出車両／所有者名フィールドが「Ａ（ＡＡＡＡ）」であるレコードが格納される事になる。
【００７３】
以上説明したように、本実施例における車両検出装置１は、衝撃を検出すると、周囲に存在する車両の車両番号及び所有者名を取得し、自車両衝撃検出データベース２３に記憶すると共に、周囲の車両の他車両衝撃検出データベース２２に対しても自車両の車両番号及び所有者名を記憶させる。
【００７４】
また、本実施例では、車両Ａと車両Ｂとが衝突をするものであった。従って、車両Ｂの備える車両検出装置１においても衝撃を検出する為、車両Ａの車両検出装置１と同様の処理動作を車両Ｂの車両検出装置１でもする事になる。車両Ｂでも同様の処理動作をすると、車両ＢのＩＣタグ部２の自車両衝撃検出データベース２３は、図４（Ｂ）に示すようなレコードが格納され、車両Ｂの周囲に存在する車両Ａ、車両Ｃ、及び、車両ＤのＩＣタグ部２の他車両衝撃検出データベース２２は、図５（Ａ）、（Ｃ）、及び（Ｄ）に示すように、衝撃検出車両／所有者名フィールドが「Ｂ（ＢＢＢＢ）」であるレコードが格納される事になる。
【００７５】
このように、本実施例における自車両衝撃検出データベース２３を参照すると、自車両が衝撃を検出した際、自車両の周囲に存在した車両の車両番号及び所有者名を知る事が出来、交通事故発生時、目撃者が名乗り出なかったとしても、記憶された車両番号及び所有者名に基づき、目撃者を特定する事が出来る。
【００７６】
また、本実施例における自車両衝撃検出データベース２３、及び、他車両衝撃検出データベース２２を参照すると、自車両が衝撃を検出した日付、時刻の近辺で、他車両も衝撃を検出したかどうか判断出来る。例えば、図４の車両Ａについて見ると、「７月１日」、「２１：００」に衝撃を検出している。更に、図４の車両Ａについて見ると、同日付、同時刻に、他車両である車両Ｂが衝撃を検出した事が記録されている。即ち、自車両衝撃検出データベース２３、及び、他車両衝撃検出データベース２２を参照する事で、交通事故の当事者を特定する事が可能となり、交通事故発生時、当事者の一方があて逃げをしたとしても、あて逃げをした車両を特定する事が可能となる。
【００７７】
また、ＩＣタグ部２を構成する車両情報データベース２１、他車両衝撃検出データベース２２、及び、自車両衝撃検出データベース２３は、警察官や保険外交員等の携帯する情報処理端末に備えたＩＣタグリーダライタで読み込む事も可能である。例えば、交通事故発生時、警察官や保険外交員等は、交通事故を起こした車両のＩＣタグ部２をＩＣタグリーダライタで読み込ませ、ＩＣタグ部２を構成する他車両衝撃検出データベース２２、及び自車両衝撃検出データベース２３に記録された情報を表示させる事も出来る。また、ＩＣタグリーダライタ部３で読み込んだ情報を、車両の備える表示装置に表示させるようにしても良い。
【００７８】
ここで、ＩＣタグ部２に記憶された情報の表示例を図６に示す。
【００７９】
表示例６−１は、車両ＡのＩＣタグリーダライタ部３で他車両衝撃検出データベース２２、及び自車両衝撃検出データベース２３に記録された情報を読み込み、車両Ａの備える表示装置に表示した例を示すものである。
【００８０】
本実施例では、自車両衝撃検出データベース２３に記録された日付、時刻、目撃車両、所有者名、及び、他車両衝撃検出データベース２２に記録された衝撃検出車両を表示している。表示に際しては、自車両衝撃検出データベース２３から日付、時刻、目撃車両、及び所有者名を取得し、取得した日付及び時刻付近、例えば、前後５分以内の衝撃検出車両を他車両衝撃検出データベース２２から取得し、表示装置に表示する。ここで、目撃車両と衝撃検出車両とが同一のものである場合には、交通事故の当事者であるとみなし、識別出来るように表示する。表示例６−１では、網掛け表示をしている。
【００８１】
表示例６−２は、警察官や保険外交員等の所持するＩＣタグリーダを備えた情報処理端末の表示装置に表示する例を示すものである。情報処理端末のＩＣタグリーダを車両のＩＣタグ部２に近付け、該ＩＣタグ部２の情報を読み込ませる。本実施例では、表示例６−１と同様に他車両衝撃検出データベース２２及び自車両衝撃検出データベース２３から取得した情報に基づき、表示装置に情報を表示している。そして、表示例６−１と同様に、目撃車両と衝撃検出車両とが同一のものである場合には、交通事故の当事者であるとみなし、表示をしている。尚、表示例６−２では、衝撃度も表示するようにしている。また、併せて、車検情報を読み込み、車検切れ等のチェックをするようにしても良い。
【００８２】
更に、本実施例では、衝撃検出部４１で衝撃を検出した際、他車両の車両情報データベース２１から車両番号を取得すると共に、自車両の位置情報を取得するようにしても良い。
【００８３】
例えば、今日、大抵の車両には、カーナビゲーションシステムが備えられている。カーナビゲーションシステムでは、自車両の位置情報、即ち、緯度、経度情報を管理している。そこで、衝撃検知部４１で衝撃を検知した際、自車両の備えるカーナビゲーションシステムから自車両の位置情報を取得し、自車両衝撃検出データベース２３に当該情報を記憶するようにしても良い。また、他車両の他車両衝撃検出データベース２２にも当該情報を記憶させるようにしても良い。このような場合、図４及び図５に例示した自車両衝撃検出データベース２３、及び他車両衝撃検出データベース２２には、位置情報を記憶するフィールドが追加される事になる。
【００８４】
このように、車両が衝撃を検出した際、位置情報を取得しておく事で、事故の発生現場も正確に特定する事が出来るようになる。
【実施例２】
【００８５】
以下、本発明の車両検出システムについて、図７乃至図９を用いて簡単に説明をする。
【００８６】
本実施例における車両検出システムの概要を図７に例示する。尚、実施例１と同様である構成要素は、図１で示したものと同一の符号を付している。
【００８７】
図７に示すように、本実施例における車両検出システムは、車両検出装置１、管理サーバ６、及びネットワーク７で構成される。
【００８８】
車両検出装置１は、実施例１で説明したものと同様のものであり、新たに無線通信部５が追加されている。
【００８９】
無線通信部５は、制御部４からの指示により、自車両衝撃検出データベース２３に情報を格納するタイミングで、ネットワーク７を介して、後述する事故車両データベース６１に該情報を格納するものである。
【００９０】
ネットワーク７は、インターネット網、仮想閉域網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等、専用回線、公衆回線、無線、有線を問わず、各装置や端末が通信可能であれば、如何なる通信ネットワークでも良い。ここで、図示していないが、無線通信部５は、様々な場所に設置された無線アクセスポイントと電波の送受信をする事で、ネットワーク７と接続される。このようにすることで、車両検出装置１と管理サーバ６とは、ネットワーク７を介して互いに通信可能となっている。
【００９１】
管理サーバ６は、警察署や保険会社等に設置されたサーバであり、事故車両データベース６１、及び検索部６２で構成されている。
【００９２】
事故車両データベース６１は、衝撃を検出した車両に対応付けて、衝撃を検出した日付、時刻、衝撃を検出した車両の周囲に存在する車両の車両番号を格納するものである。
【００９３】
検索部６２は、事故車両データベース６１に格納された情報を検索するものである。
【００９４】
ここで、管理サーバ６は、図示しないが、警察署や保険会社等のオフィスのＬＡＮにも接続されており、警察署や保険会社等の構成員は、当該ＬＡＮに接続されたクライアント端末を用いて、管理サーバ６に接続する事が出来る。また、当該クライアント端末を用いて、検索部６２を起動する事が出来る。
【００９５】
実施例１では、図２のフローチャートに示すように、衝撃検出部４１で衝撃を検出した事を契機として、Ｓ２−２乃至Ｓ２−４の処理をしていた。本実施例では、Ｓ２−３の処理で、衝撃検出部４１が周囲状況取得部４２から他車両の検出結果を受け取ると、ＩＣタグリーダライタ部３に自車両のＩＣタグ部２に情報を書き込むよう指示をする共に、無線通信部５にネットワーク７を介して、管理サーバ６の事故車両データベース６１に衝撃を検出した車両に対応付けて、情報を書き込むよう指示をする。即ち、自車両のＩＣタグ部２の自車両衝撃検出データベース２３に格納した情報を事故車両データベース６１にも格納する事になる。
【００９６】
ここで、図８に事故車両データベース６１の構成例を示す。
【００９７】
事故車両データベース６１は、車両番号／所有者名フィールド、日付フィールド、時刻フィールド、目撃車両／所有者名フィールド、及び衝撃度フィールドで構成されている。
【００９８】
車両番号／所有者名フィールドは、衝撃を検出した車両の車両番号及び所有者名が格納されるフィールドである。本実施例では、車両番号に括弧付けで所有者名を格納しているが、これに限るものでなく、車両と所有者名が判別できるものであればどのようなレコード構成でも構わない。
【００９９】
日付フィールドは、車両が衝撃を検出した日付が格納されるフィールドである。
【０１００】
時刻フィールドは、車両が衝撃を検出した時刻が格納されるフィールドである。
【０１０１】
目撃車両／所有者名フィールドは、車両が衝撃を検出した際、該車両の周囲に存在した他車両の車両番号及び該他車両の所有者名が格納されるフィールドである。本実施例では、他車両の車両番号に括弧付けで該他車両の所有者名を格納しているが、これに限るものでなく、他車両とその所有者名が判別できるものであればどのようなレコード構成でも構わない。
【０１０２】
衝撃度フィールドは、検出した衝撃の大きさが格納されるフィールドである。
【０１０３】
このように、Ｓ２−３で、自車両衝撃検出データベース２３に情報を格納すると共に、無線通信部５は、ネットワーク７を介して、事故車両データベース６１に情報を格納する。
【０１０４】
図８に示す例では、実施例１で説明した状況、即ち、車両Ａと車両Ｂとが衝突事故を起こした際、車両Ｃと車両Ｄとがその周囲に存在したものであり、車両Ａによる衝撃の検出、車両Ｂによる衝撃の検出に対応する２レコードが格納されている。
【０１０５】
次に、この事故車両データベース６１の参照について説明をする。
【０１０６】
管理サーバ６は、保険会社や警察署等に設置されており、ＬＡＮに接続されている。また、当該ＬＡＮ上には、様々な情報処理端末が接続されており、当該情報処理端末から管理サーバ６に接続する事が可能となっている。
【０１０７】
例えば、保険会社や警察署の構成員は、ある事故に係る目撃者や当事者を調査する際、所持する情報処理端末を操作して、管理サーバ６に接続し、検索部６２を起動する。
【０１０８】
本実施例では、車両Ａがあて逃げされ、その事故に係る目撃者、当事者を調査する場合について説明をする。
【０１０９】
まず、保険会社や警察署等の構成員は、車両Ａの所有者の証言により、あて逃げされた日時、「７月１日」、「２１：００」前後という情報を取得する。
【０１１０】
保険会社や警察署の構成員は、証言に基づき、情報処理端末を操作して、管理サーバ６の検索部６２を起動する。
【０１１１】
検索部６２は、起動されると、図９（Ａ）に例示するような事故検索画面を情報処理端末の表示装置に表示する。
【０１１２】
ここで、事故検索画面は、日付入力フィールド、時刻入力フィールド、事故車両入力フィールド、及び衝撃度入力フィールドから構成されている。
【０１１３】
日付入力フィールドは、事故発生日付を入力するフィールドであり、事故発生日付で事故車両データベース６１の日付フィールドを検索するものである。
【０１１４】
時刻入力フィールドは、事故発生時刻を入力するフィールドであり、事故発生時刻で事故車両データベース６１の時刻フィールドを検索するものである。また、事故発生時刻そのものを検索条件とした場合、不適切な検索となる場合も考えられるため、所定範囲内で検索出来るよう、検索範囲を入力できるフィールドも含む。
【０１１５】
事故車両入力フィールドは、衝撃を検出した車両番号又は／及び所有者名を入力するフィールドであり、車両番号又は／及び所有者名で事故車両データベース６１の目撃車両／所有者名フィールドを検索するものである。
【０１１６】
衝撃度入力フィールドは、検出した衝撃度を入力するフィールドであり、衝撃度で事故車両データベース６１の衝撃度フィールドを検索するものである。この衝撃度を検索条件とする事は、例えば、玉突き事故のように、1つの事故で複数の衝撃を検出するような事故であった場合、一番衝撃度の大きい事故の情報を得るとき等に有効である。
【０１１７】
事故検索画面を構成する各入力フィールドは、上記のように、事故車両データベース６１の検索条件となるものであり、少なくとも１つの入力フィールドが入力されていれば良い。
【０１１８】
図９（Ａ）に例示する事故検索画面を表示すると、車両Ａの所有者ＡＡＡＡの証言に基づき、日付入力フィールド、時刻入力フィールド、及び事故車両入力フィールドに夫々、「７月１日」、「２１：００」、「Ａ」を入力する。また、証言の時刻に誤差がある事が考えられるため、時刻の検索範囲に余裕をもたせ、「２０：５５」から「２１：０５」の時刻範囲で検索をするように入力している。
【０１１９】
検索部６２は、事故検索画面の少なくとも１つのフィールドに入力がなされると、入力されたフィールドに基づき、事故車両データベース６１を検索する。ここで、複数のフィールドが入力された場合、複数のフィールドのＡＮＤ条件で検索される事になる。
【０１２０】
そして、検索部６２は、事故車両データベース６１から検索条件に合致する情報を取得し、図９（Ｂ）に例示するような検索結果画面を情報処理端末の表示画面に表示する。
【０１２１】
検索結果画面は、検索条件表示フィールド、目撃車両表示フィールド、及び当事者表示フィールドで構成されている。
【０１２２】
検索条件表示フィールドは、事故検索画面で入力された検索条件が表示されるフィールドであり、図９（Ｂ）の表示例では、「７月１日  ２１：００  ５分前後」及び「車両Ａについて」が相当する。
【０１２３】
目撃車両表示フィールドは、検索条件に基づいて検索した事故車両データベース６１の目撃車両／所有者名フィールドの情報を表示するフィールドであり、図９（Ｂ）の表示例では、目撃車両に対応付けて所有者名を表示する。
【０１２４】
当事者表示フィールドは、図９（Ａ）で例示した事故車両入力フィールドに入力された検索条件で事故車両データベース６１の目撃車両／所有者名フィールドを検索し、対応する車両番号／所有者名フィールドの情報を表示する。例えば、図８を参照すると、車両Ａが衝撃を検出した時刻に車両Ｂも衝撃を検出している。更に、双方目撃車両として記録されている事がわかる。従って、車両Ａ及び車両Ｂは当事者とみなす事が出来、この事故で車両Ｂはあて逃げをしたものとみなす事が出来る。
【０１２５】
このように、検索結果画面の当事者フィールドを参照する事で、あて逃げをしたとみなされる車両Ｂの所有者を特定する事が出来る。また、検索結果画面の目撃車両フィールドを参照する事で、目撃車両とその所有者も特定出来、該目撃者により、証言をしてもらう事も出来る。
【０１２６】
このように、交通事故における目撃者や当事者を特定する事が可能となる。
【０１２７】
また、ガードレール、電信柱等の固定された公共物に車両検出装置１を備えるようにしても良い。
【０１２８】
従来公共物が交通事故で破壊された場合、その犯人を見つけ出す事は困難であったが、上記のように構成する事で、犯人を特定する事が容易となる。
【０１２９】
以上の実施例１及び実施例２を含む実施形態に関し、更に以下の付記を開示する。
【０１３０】
（付記１）  事故発生時点での現場の近傍に位置する車両を検出する車両検出装置であって、
車両識別子を記憶する車両情報記憶部と、
目撃車両に関する情報を記憶する自車両衝撃検出記憶部と、
他の前記車両検出装置の備える前記車両情報記憶部から車両識別子を取得する車両情報リーダ部と、
衝撃を検出し、該衝撃を検出した事を契機として、前記車両情報リーダ部から車両識別子を取得し、該車両識別子を目撃車両に関する情報として前記自車両衝撃検出記憶部に格納する衝撃検出部と、
を備えた事を特徴とする車両検出装置。
【０１３１】
（付記２）  前記車両検出装置は、更に、
衝撃を検出した車両に係る情報を記憶する他車両衝撃検出記憶部を備え、
前記衝撃検出部は、
前記車両情報記憶部から車両識別子を取得し、該車両識別子を衝撃を検出した車両に係る情報として他の前記車両検出装置の備える前記他車両衝撃検出記憶部に格納する事を特徴とする付記１記載の車両検出装置。
【０１３２】
（付記３）  前記車両検出装置は、更に、
前記自車両衝撃検出記憶部から目撃車両に関する情報を取得し、該情報を目撃車両として表示し、前記他車両衝撃検出記憶部に記憶された衝撃を検出した車両に係る情報と前記自車両衝撃検出記憶部に記憶された目撃車両に関する情報とが一致するものを当事者として表示する表示部を備える事を特徴とする付記２記載の車両検出装置。
【０１３３】
（付記４）  前記車両検出装置は、更に、ＩＣタグを含み、
前記車両記憶部、前記自車両衝撃検出記憶部は、前記ＩＣタグに含まれる事を特徴とする付記１記載の車両検出装置。
【０１３４】
（付記５）  前記車両検出装置は、更に、ＩＣタグを含み、
前記車両記憶部、前記自車両衝撃検出記憶部、及び、前記他車両衝撃検出記憶部は、前記ＩＣタグに含まれる事を特徴とする付記２記載の車両検出装置。
【０１３５】
（付記６）  前記目撃車両に関する情報は、更に、車両の位置情報を含み、
前記衝撃検出部は、衝撃を検出した際、車両の位置を特定する事を特徴とする付記１記載の車両検出装置。
【０１３６】
（付記７）  前記車両リーダ部は、前記ＩＣタグと電波の送受信をする為に、所定時間電波を送信する事を特徴とする付記５記載の車両検出装置。
【０１３７】
（付記８）  事故発生時点での現場の近傍に位置する車両を検出する車両検出装置とネットワークを介して接続された管理サーバとからなる車両検出システムであって、
前記車両検出装置は、
車両識別子を記憶する車両情報記憶部と、
目撃車両に関する情報を記憶する自車両衝撃検出記憶部と、
他の前記車両検出装置の備える前記車両情報記憶部から車両識別子を取得する車両情報リーダ部と、
衝撃を検出し、該衝撃を検出した事を契機として、前記車両情報リーダ部から車両識別子を取得し、該車両識別子を目撃車両に関する情報として前記自車両衝撃検出記憶部に格納し、前記車両情報記憶部から車両識別子を取得し、該車両識別子と該目撃車両に関する情報とを前記管理サーバに送信する衝撃検出部とを備え、
前記管理サーバは、
車両識別子と目撃車両に関する情報とを記憶する事故車両記憶部と、
前記車両検出装置から車両識別子と目撃車両に関する情報とを受信し、前記事故車両記憶部に格納する事故車両情報格納部と、
前記事故車両記憶部から車両識別子に対応する目撃車両に関する情報を取得し、該情報を表示する事故情報表示部とを備えた事を特徴とする車両検出システム。
【０１３８】
（付記９）  前記車両検出装置は、更に、
衝撃を検出した車両に係る情報を記憶する他車両衝撃検出記憶部を備え、
前記衝撃検出部は、前記車両情報記憶部から車両識別子を取得し、該車両識別子を衝撃を検出した車両に係る情報として他の前記車両検出装置の備える前記他車両衝撃検出記憶部に格納し、
前記事故情報表示部は、前記事故車両記憶部を参照して、衝撃を検出した車両の車両識別子に対応する目撃者に関する情報と一致する車両識別子を取得し、該車両識別子に対応する目撃者に関する情報と該衝撃を検出した車両の車両識別子とが一致する場合、当事者として表示する事を特徴とする付記８記載の車両検出システム。
【０１３９】
（付記１０）  前記車両検出装置は、更に、
前記自車両衝撃検出記憶部から目撃車両に関する情報を取得し、該情報を目撃車両として表示し、前記他車両衝撃検出記憶部に記憶された衝撃を検出した車両に係る情報と前記自車両衝撃検出記憶部に記憶された目撃車両に関する情報とが一致するものを当事者として表示する事を特徴とする付記９記載の車両検出システム。
【０１４０】
（付記１１）  前記車両検出装置は、更に、ＩＣタグを含み、
前記車両記憶部、前記自車両衝撃検出記憶部は、前記ＩＣタグに含まれる事を特徴とする付記８記載の車両検出装置。
【０１４１】
（付記１２）  前記車両検出装置は、更に、ＩＣタグを含み、
前記車両記憶部、前記自車両衝撃検出記憶部、及び、前記他車両衝撃検出記憶部は、前記ＩＣタグに含まれる事を特徴とする付記９記載の車両検出装置。
【図面の簡単な説明】
【０１４２】
【図１】実施例１に係る車両検出装置の概要を示す全体構成図である。
【図２】実施例１に係る車両検出装置の処理のフローチャートである。
【図３】車両情報データベースのレコード構成例を示す図である。
【図４】自車両衝撃検出データベースのレコード構成例を示す図である。
【図５】他車両衝撃検出データベースのレコード構成例を示す図である。
【図６】ＩＣタグ部に記録された情報の表示例を示す図である。
【図７】実施例２に係る車両検出システムの概要を示す全体構成図である。
【図８】実施例２に係る事故車両データベースのレコード構成例を示す図である。
【図９】実施例２に係る事故検索画面の表示例を示す図である。
【符号の説明】
【０１４３】
１        車両検出装置
２        ＩＣタグ部
３        ＩＣタグリーダライタ部
４        制御部
５        無線通信部
６        管理サーバ
７        ネットワーク
【図１】
2006053676.tif 000003
【図２】
2006053676.tif 000004
【図３】
2006053676.tif 000005
【図４】
2006053676.tif 000006
【図５】
2006053676.tif 000007
【図６】
2006053676.tif 000008
【図７】
2006053676.tif 000009
【図８】
2006053676.tif 000010
【図９】
2006053676.tif 000011